(57)【要約】      （修正有）【課題】内側手袋部材および外側手袋部材とにおける手の平側を一体化することにより、しっかりとした握持感が得られる重層型手袋を提供する。【解決手段】内側手袋部材Ａと外側手袋部材Ｂとの間に防水性を有する手袋型の防水フィルム材Ｃを介在させた重層型手袋において、手の平側における防水フィルム材Ｃと内側手袋部材Ａおよび防水フィルム材Ｃと外側手袋部材Ｂを、それぞれ熱溶融させた合成樹脂材料からなる接着芯Ｄを介して一体化して、しっかりとした握持感が得られるようにしている。【選択図】図１
0003165730.tif 000002
【実用新案登録請求の範囲】
【請求項１】
内側手袋部材（Ａ）と外側手袋部材（Ｂ）との間に防水性を有する手袋型の防水フィルム材（Ｃ）を介在させた重層型手袋であって、
手の平側において前記防水フィルム材（Ｃ）と前記内側手袋部材（Ａ）および前記防水フィルム材（Ｃ）と前記外側手袋部材（Ｂ）を、それぞれ熱溶融させた合成樹脂材料からなる接着芯（Ｄ）を介して一体化した、
ことを特徴とする重層型手袋。
【請求項２】
請求項１において、
前記防水フィルム材（Ｃ）に透湿性を付与するとともに、前記接着芯（Ｄ）として網目形状のものを使用した、
ことを特徴とする重層型手袋。
【考案の詳細な説明】
【技術分野】
【０００１】
本願考案は、内側手袋部材と外側手袋部材との間に防水フィルム材を介装させてなる重層型手袋に関するものである。
【背景技術】
【０００２】
手袋に防水機能を付与するために、図４に示すように、内側手袋部材Ａと外側手袋部材Ｂとの間に防水性を有する手袋型の防水フィルム材Ｃを介在させた三層構造の手袋は従来からよく知られている。
【０００３】
ところで、図４に示すように、内側手袋部材Ａと外側手袋部材Ｂとの間に単に（非接着状態で）手袋型の防水フィルム材Ｃを介在させただけでは、手袋に差し込んだ手を抜くときに、内側手袋部材Ａがめくれて手と一緒に出てきてしまう虞れがある。
【０００４】
そこで、この種の三層構造の手袋では、各パーツ（Ａ，Ｂ，Ｃ）を部分的（例えば各指先部分や挿入口部分）に接着剤で接着して一体化させるようにしている。この場合、三層構造の手袋における手の平部分は、防水フィルム材Ｃと内側手袋部材Ａおよび防水フィルム材Ｃと外側手袋部材Ｂとがそれぞれ非接着状態で重合しているだけである。
【０００５】
また、接着剤によらずに縫着によって三層構造の各パーツを容易に脱離しないように一体化させる試みもなされている（特許文献１参照）。しかしながら、この場合、防水フィルム材Ｃにおいて、縫合用の縫い針および縫い糸が本体部分を貫通することによって防水性が維持されなくなるという問題が生ずる。
【０００６】
また、縫合による上記問題点を解消するために、防水フィルム材Ｃにおける各指片の先端部付近に合成樹脂によって別途作製した任意形状の縫い代小片を融着し、該縫い代小片の両端部を防水フィルム材Ｃにおける各指片の外方および内方に突出させ、該突出部を利用して内側手袋部分Ａを縫着するとともに、他方の突出部を利用して外側手袋部分Ｂを縫着するようにしたものが提案されている（特許文献２参照）。
【先行技術文献】
【特許文献】
【０００７】
【特許文献１】実用新案登録第３０８８４６８号公報
【特許文献２】特開２００５−３０７４０４号公報
【考案の概要】
【考案が解決しようとする課題】
【０００８】
ところで、従来（上記公知例のものも含む）の三層構造の手袋では、手の平部分は単に三層に重合しているだけである（非接着状態である）ので、例えばオートバイ用の手袋として用いると、ハンドルを握持したときに、内側手袋部材Ａと防水フィルム材Ｃ、及び防水フィルム材Ｃと外側手袋部材Ｂとがそれぞれ手の平側で互いに滑り合って、しっかりとした握持感が得られないという問題が生ずる。
【０００９】
そこで、本願考案は、上記した公知の重層型手袋の問題点を改善することを目的としてなされたもので、重層型手袋の三層を構成する防水フィルム材と内側手袋部材および外側手袋部材とにおける手の平側を一体化することにより、しっかりとした握持感が得られるようにすることを目的とするものである。
【課題を解決するための手段】
【００１０】
本願考案は、上記課題を解決するための手段として次の構成を有している。
【００１１】
本願考案は、例えばオートバイ用手袋やスキー用手袋等として使用される防水構造の重層型手袋を対象としている。
【００１２】
本願考案の重層型手袋は、内側手袋部材と外側手袋部材との間に防水性を有する手袋型の防水フィルム材を介在させたものであって、手の平側において前記防水フィルム材と前記内側手袋部材および前記防水フィルム材と外側手袋部材を、それぞれ熱溶融させた合成樹脂材料からなる接着芯を介して一体化したものである。
【００１３】
前記内側手袋部材の材料としては、薄手の布が多用されるが、薄手のものであれば、合成樹脂製のものであってもよい。
【００１４】
前記外側手袋部材の材料としては、手袋の用途や目的に応じて、例えば皮革、布、ニット、フリースなどの素材を選択的に使用できる。
【００１５】
前記防水フィルム材の材料としては、防水性のあるものであればよく、例えばポリ塩化ビニルやナイロンの他、オレフィン樹脂、ポリエステル、アクリル樹脂、ニトリル樹脂などの合成樹脂材料を使用できる。この防水フィルム材として、防水性とともに透湿性を兼備したシート材（例えば、東洋クロス株式会社製、商品名：バイオン−II）が使用されることもある。
【００１６】
前記接着芯は、熱溶融性のある合成樹脂材料製のシート材が使用される。なお、防水フィルム材として防水性とともに透湿性を兼備したシート材を使用する場合には、この接着芯として、熱溶融性のある合成樹脂材料からなる網目形状のもの（例えば、株式会社日東紡績製、商品名：ダンフィルズネット）を使用するのが、手袋全体の透湿性を確保する上から望ましい。
【考案の効果】
【００１７】
本願考案の重層型手袋には、次のような効果がある。
【００１８】
（１）  内側手袋部材と外側手袋部材との間に防水性を有する手袋型の防水フィルム材を介在させた重層型手袋において、前記防水フィルム材と前記内側手袋部材および前記防水フィルム材と外側手袋部材を、それぞれ手の平側において熱溶融させた合成樹脂材料からなる接着芯を介して一体化したことにより、例えば、オートバイ用の手袋として用いると、ハンドルを握持したときに、内側手袋部材と防水フィルム材と外側手袋部材とが手の平側で互いに滑り合うということがなくなり、しっかりとした握持感が得られる。
【００１９】
（２）  防水フィルム材として、防水性と透湿性とを兼備したものを採用した場合、接着芯として、熱溶融性のある合成樹脂材料からなる網目形状のものを使用すると、手袋全体の透湿性も確保することができる。
【図面の簡単な説明】
【００２０】
【図１】本願実施例の重層型手袋を分解した状態を示す斜視図である。
【図２】図１の重層型手袋を手の平側を上にした状態の平面図である。
【図３】図１の重層型手袋のIII−III断面図である。
【図４】従来の重層型手袋を分解した状態を示す斜視図である。
【考案を実施するための形態】
【実施例】
【００２１】
図１〜図３を参照して、本願実施例の重層型手袋を説明する。
【００２２】
なお、本願実施例の重層型手袋の構成は、上記した「課題を解決するための手段」の項で説明したものと多々重複するが、再度以下に説明する。また、以下に示す各数値は、本願の重層型手袋を理解し易くするためのもので、要旨を変更しない範囲で適宜に変更できるものである。
【００２３】
本願実施例の重層型手袋Ｚは、図１ないし図３に示すように、手を挿し入れる開口部１と、親指、人指し指、中指、薬指および小指の５本の指をそれぞれ収納する指収納部２，３，４，５，６を有しており（図２参照）、内側手袋部材Ａと外側手袋部材Ｂとの間に防水性を有する手袋型の防水フィルム材Ｃを介在させたものである。
【００２４】
そして、 この実施例の重層型手袋Ｚは、手の平側ａにおいて防水フィルム材Ｃと内側手袋部材Ａおよび防水フィルム材Ｃと外側手袋部材Ｂを、それぞれ熱溶融させた合成樹脂材料からなる接着芯Ｄを介して一体化している（図３参照）。
【００２５】
この３つの構成材（Ａ，Ｂ，Ｃ）は、それぞれ重層型手袋Ｚの開口部１に相当する開口部、および各指収納部２，３，４，５，６に相当する５つの指袋部を有し、ほぼ同一形状をなしている。
【００２６】
内側手袋部材Ａの材料としては、薄手の布が多用されるが、薄手のものであれば、合成樹脂製のものであってもよい。
【００２７】
外側手袋部材Ｂの材料としては、手袋の用途や目的に応じて、例えば皮革、布、ニット、フリースなどの素材を選択的に使用できる。
【００２８】
中間の防水フィルム材Ｃの材料としては、例えばポリ塩化ビニルやナイロンの他、オレフィン樹脂、ポリエステル、アクリル樹脂、ニトリル樹脂などの合成樹脂材料を使用できる。また、この防水フィルム材Ｃは、防水性とともに透湿性を兼備するものが好ましい。なお、防水性と透湿性を兼備したシート材としては、例えば東洋クロス株式会社製の商品名：バイオン−IIが使用できる。
【００２９】
防水フィルム材Ｃを内側手袋部材Ａおよび外側手袋部材Ｂにそれぞれ接着させるための接着芯Ｄとしては、熱溶融性のある合成樹脂材料からなるシート状のものであればよい。なお、この接着芯Ｄは、例えば１００℃程度の温度で溶融するものが好ましい。
【００３０】
また、中間の防水フィルム材Ｃに防水性と透湿性を兼備するものを採用した場合には、接着芯Ｄとして網目形状に構成したもの（例えば、株式会社日東紡製、商品名：ダンフイルズネット）が使用される。このようにすると、防水機能を備えた手袋であっても透湿性を確保することで蒸れない手袋を提供できる。なお、この場合の網目の大きさおよび形状は、一辺の長さが２mm程度の菱形とするのが望ましい。
【００３１】
そして、この接着芯Ｄは、内側手袋部材Ａおよび外側手袋部材Ｂを成形時に、予めそれらの手の平部分の内外所定面にそれぞれ貼着させておく。
【００３２】
なお、内側手袋部材Ａは、その手の平側部材を裁断する際に、その生地の表面側に接着芯Ｄを重合させた状態で該接着芯も同形に切り取り、その接着芯を重合させた手の平側部材と別に裁断した手の甲側部材とを縫合させることで、手の平外面に接着芯Ｄを重合させた内側手袋部材Ａを製作する。他方、外側手袋部材Ｂは、その手の平側部材を裁断する際に、その生地の裏面側に接着芯Ｄを重合させた状態で該接着芯も同形に切り取り、その接着芯を重合させた手の平側部材と別に裁断した手の甲側部材とを縫合させることで、手の平内面に接着芯Ｄを重合させた外側手袋部材Ｂを製作する。
【００３３】
そして、この重層型手袋Ｚは、上記３つの構成材（即ち、接着芯付き内側手袋部材Ａ、防水フィルム材Ｃ、接着芯付き外側手袋部材Ｂ）を、加熱されている手形形状の金型の外側に順次被せることで、該金型からの熱で内外各接着芯Ｄ，Ｄ（図３参照）をそれぞれ溶融させて、三層の各生地を一体化させたものである。なお、この重層型手袋Ｚは、連続生産される関係で、手形形状の金型は常時所定温度に加熱されており、該金型に上記三層の生地を被せた状態で所定時間（例えば１０秒前後）維持させることで、内外両接着芯を溶融させることができる。
【００３４】
このようにして製作された重層型手袋Ｚでは、内側手袋部材Ａと防水フィルム材Ｃとの手の平部分が内側の接着芯Ｄで接着されている一方、外側手袋部材Ｂと防水フィルム材Ｃとの手の平部分が外側の接着芯Ｄで接着されているので、該三層の生地は手袋の手の平部分において相互に滑ることがない。
【００３５】
従って、この重層型手袋Ｚを、例えばオートバイ用の手袋として用いると、ハンドルを握持したときに、内側手袋部材Ａと防水フィルム材Ｃと外側手袋部材Ｂとが手の平側で互いに滑り合うことがないので、しっかりとした握持感が得られる。
【００３６】
また、中間の防水フィルム材Ｃとして防水性と透湿性とを兼備したものを採用し、且つ接着芯Ｄとして網目形状のものを使用したものでは、該防水フィルム材Ｃの透湿性が阻害されないので、三層の生地を一体化させたものであっても防水性と透湿性を兼備したものとなる。
【符号の説明】
【００３７】
Ａは内側手袋部材、Ｂは外側手袋部材、Ｃは防水フィルム材、Ｄは接着芯、Ｚは重層型手袋である。
【図１】
0003165730.tif 000003
【図２】
0003165730.tif 000004
【図３】
0003165730.tif 000005
【図４】
0003165730.tif 000006